(57)【要約】【課題】  撮影状況の明暗に拘わらず、迅速、且つ、的確に被写体距離の修正又は、被写体に対してオートフォーカスを行う撮像装置及びそのプログラムを実現する。【解決手段】  図２の（ａ）〜（ｄ）は、それぞれの人物撮影モードに対応する被写体表示枠であり、メモリ９の距離情報テーブルには、それぞれの人物撮影モードに対応する距離情報が記憶されている（図２（ｅ）参照）。そして、ユーザによって人物撮影モードが選択されると選択された人物撮影モードに対応する被写体表示枠を画像表示部１２に表示し、ユーザはこの被写体表示枠を見ながら、撮影しようとする被写体をこの被写体表示枠に合わすことができる（図２（ｆ）参照）。そして、シャッタボタンが押下されると、該選択された人物撮影モードに対応する距離情報を距離情報テーブルから読み出し、該読み出した距離情報に基づいてフォーカスレンズを駆動させる。【選択図】  図２
2006189787.tif 000002
【特許請求の範囲】
【請求項１】
被写体を撮像する撮像手段と、
人物撮影モードを設定する設定手段と、
前記設定手段により設定された人物撮影モードに対応する被写体表示枠を表示手段に表示させる表示制御手段と、
前記設定手段により設定された人物撮影モードに対応するフォーカス位置情報を取得する取得手段と、
前記取得手段により取得されたフォーカス位置情報に基づいて、フォーカスレンズを移動させることにより、被写体に対してフォーカスを行なうフォーカス制御手段と、
を備えたことを特徴とする撮像装置。
【請求項２】
前記表示制御手段は、
被写体表示枠とともに、前記撮像手段により撮像された画像データの画像を前記表示手段に表示させることを特徴とする請求項１記載の撮像装置。
【請求項３】
ユーザが複数の人物撮影モードのうち任意の人物撮影モードを１つ選択するための選択手段を備え、
前記設定手段は、
前記選択手段により選択された人物撮影モードを設定することを特徴とする請求項１又は２記載の撮像装置。
【請求項４】
人物撮影モードに対応する距離情報が記憶されている記憶手段を備え、
前記取得手段は、
前記設定手段により設定された人物撮影モードに対応する距離情報を前記記憶手段から読み出し、該読み出した距離情報に対応するフォーカス位置情報を取得することを特徴とする請求項１乃至３の何れかに記載の撮像装置。
【請求項５】
被写体をズームするためのズーム機能を制御する制御手段と、
前記制御手段により制御されたズーム機能のズーム倍率を取得する第１の倍率取得手段と、
を備え、
前記取得手段は、
前記設定手段により設定された人物撮影モード及び前記第１の倍率取得手段により取得されたズーム倍率に対応するフォーカス位置情報を取得することを特徴とする請求項１乃至４の何れかに記載の撮像装置。
【請求項６】
前記第１の倍率取得手段により取得されたズーム倍率にしたがって、前記設定手段により設定された人物撮影モードに対応するフォーカス位置情報を修正する修正手段を備え、
前記取得手段は、
前記修正手段により修正されたフォーカス位置情報を取得し、
前記フォーカス制御手段は、
前記取得手段により取得されたフォーカス位置情報に基づいて、フォーカスレンズを移動させることにより、被写体に対してフォーカスを行なうことを特徴とする請求項５記載の撮像装置。
【請求項７】
前記表示制御手段により前記表示手段に表示された被写体表示枠をズームさせるズーム制御手段と、
前記ズーム制御手段によりズームされた被写体表示枠のズーム倍率を取得する第２の倍率取得手段と、
を備え、
前記取得手段は、
前記設定手段により設定された人物撮影モード及び前記第２の倍率取得手段により取得されたズーム倍率に対応するフォーカス位置情報を取得することを特徴とする請求項１乃至４の何れかに記載の撮像装置。
【請求項８】
前記表示制御手段により前記表示手段に表示された被写体表示枠をズームさせるズーム制御手段と、
前記ズーム制御手段によりズームされた被写体表示枠のズーム倍率を取得する第２の倍率取得手段と、
を備え、
前記取得手段は、
前記設定手段により設定された人物撮影モード、前記第１の倍率取得手段及び前記第２の倍率取得手段により取得されたズーム倍率に対応するフォーカス位置情報を取得することを特徴とする請求項５又は６記載の撮像装置。
【請求項９】
前記フォーカス制御手段は、
前記取得手段により取得されたフォーカス位置情報に基づいて、被写体に対してパンフォーカスすることを特徴とする請求項１乃至８の何れかに記載の撮像装置。
【請求項１０】
フォーカスレンズを移動させていくとともに、前記撮像手段により撮像された画像データのＡＦ評価値を検出し、該検出した複数のＡＦ評価値に基づいてフォーカスレンズを合焦レンズ位置に移動させるコントラストＡＦ手段を備え、
前記フォーカス制御手段は、
前記取得手段により取得されたフォーカス位置情報に基づいて、前記コントラストＡＦ手段により前記撮像手段により撮像された画像データのＡＦ評価値を検出するフォーカスレンズのレンズ位置を制限して、被写体に対してオートフォーカスを行なうことを特徴とする請求項１乃至８の何れかに記載の撮像装置。
【請求項１１】
前記設定手段により人物撮影モードが設定されているか否かを判断する判断手段を備え、
前記フォーカス制御手段は、
前記判断手段により前記人物撮影モードが設定されていると判断された場合に、前記取得手段により取得されたフォーカス位置情報に基づいて、フォーカスレンズを移動させることにより、被写体に対してフォーカスを行なうことを特徴とする請求項１〜１０の何れかに記載の撮像装置。
【請求項１２】
前記フォーカス制御手段は、
前記判断手段により前記人物撮影モードが設定されていないと判断された場合に、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えたことを特徴とする請求項１１記載の撮像装置。
【請求項１３】
半押し操作と全押し操作が可能なシャッタボタンと、
前記シャッタボタンが半押しされたか否かを判断する第１の判断手段と、
前記シャッタボタンが一気に全押しされたか否かを判断する第２の判断手段と、
を備え、
前記フォーカス制御手段は、
前記第２の判断手段により前記シャッタボタンが一気に全押しされたと判断された場合は、前記取得手段により取得されたフォーカス位置情報に基づいて、フォーカスレンズを移動させることにより、被写体に対してフォーカスを行なうことを特徴とする請求項１乃至１０の何れかに記載の撮像装置。
【請求項１４】
前記第２の判断手段により前記シャッタボタンが一気に全押しされたと判断されたときに、前記設定手段により人物撮影モードが設定されているか否かを判断する第３の判断手段を備え、
前記フォーカス制御手段は、
前記第３の判断手段により前記人物撮影モードが設定されていると判断された場合に、前記取得手段により取得されたフォーカス位置情報に基づいて、フォーカスレンズを移動させることにより、被写体に対してフォーカスを行なうことを特徴とする請求項１３記載の撮像装置。
【請求項１５】
前記フォーカス制御手段は、
前記第３の判断手段により前記人物撮影モードが設定されていないと判断された場合には、予め決められた固定焦点位置にフォーカスレンズを移動させることにより、被写体に対してフォーカスを行なうパンフォーカス制御手段を備えたことを特徴とする請求項１４記載の撮像装置。
【請求項１６】
前記第１の判断手段により前記シャッタボタンが半押しされたと判断された場合には、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えたことを特徴とする請求項１３乃至１５の何れかに記載の撮像装置。
【請求項１７】
前記コントラストＡＦ制御手段は、
前記第１の判断手段により前記シャッタボタン半押しされたと判断されたときに、前記設定手段により人物撮影モードの設定が行なわれている場合は、前記取得手段により取得されたフォーカス位置情報に基づいて、ＡＦ評価値を検出するフォーカスレンズのレンズ位置を制限してＡＦ評価値を検出するように制御する手段を含むことを特徴とする請求項１６記載の撮像装置。
【請求項１８】
前記コントラストＡＦ制御手段によるＡＦ制御が完了する前に前記シャッタボタンが全押しされたか否かを判断する第４の判断手段を備え、
前記第２の判断手段は、
前記第４の判断手段により前記コントラストＡＦ制御手段によるＡＦ制御が完了する前に前記シャッタボタンが全押しされたと判断された場合には、前記シャッタボタンが一気に全押しされたと判断することを特徴とする請求項１６又は１７記載の撮像装置。
【請求項１９】
前記第２の判断手段は、
前記シャッタボタンが半押しされてから所定時間経過前に前記シャッタボタンが全押しされた場合には、前記シャッタボタンが一気に全押しされたと判断し、
前記第１の判断手段は、
前記シャッタボタンが半押しされてから前記シャッタボタンが全押しされることなく所定時間が経過した場合には、前記シャッタボタンが半押しされたと判断することを特徴とする請求項１３乃至１７の何れかに記載の撮像装置。
【請求項２０】
前記第２の判断手段は、
前記第１の判断手段により前記シャッタボタンが半押しされたと判断されることなく、前記シャッタボタンが全押しされたと判断した場合には、前記シャッタボタンが一気に全押しされたと判断することを特徴とする請求項１３乃至１７の何れかに記載の撮像装置。
【請求項２１】
被写体を撮像する撮像手段と、
人物撮影モードを設定する設定手段と、
前記設定手段により設定された人物撮影モードに対応する被写体表示枠を表示手段に表示させる表示制御手段と、
前記設定手段により設定された人物撮影モードに対応する被写体距離情報を取得する取得手段と、
前記取得手段により取得された被写体距離情報を表示又は記録する制御手段と、
を備えたことを特徴とする撮像装置。
【請求項２２】
前記制御手段は、
前記取得手段により取得された被写体距離情報を前記撮像手段により得られた画像データと関連付けて記録手段に記録する手段を含むことを特徴とする請求項２１記載の撮像装置。
【請求項２３】
前記制御手段は、
前記取得手段により取得された被写体距離情報を前記撮像手段により得られた画像データと共に前記表示手段に表示する手段を含むことを特徴とする請求項１２１又は２２記載の撮像装置。
【請求項２４】
被写体を撮像する撮像処理と、
人物撮影モードを設定する設定処理と、
前記設定処理により設定された人物撮影モードに対応する被写体表示枠を表示部に表示させる表示処理と、
前記設定処理により設定された人物撮影モードに対応するフォーカス位置情報を取得する取得処理と、
前記取得処理により取得されたフォーカス位置情報に基づいて、フォーカスレンズを移動させることにより、被写体に対してフォーカスを行なうフォーカス処理と、
を含み、上記各処理をコンピュータで実行させることを特徴とするプログラム。
【請求項２５】
被写体を撮像する撮像処理と、
人物撮影モードを設定する設定処理と、
前記設定処理により設定された人物撮影モードに対応する被写体表示枠を表示部に表示させる表示処理と、
前記設定処理により設定された人物撮影モードに対応する被写体距離情報を取得する取得処理と、
前記取得処理により取得された被写体距離情報を表示又は記録する処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、フォーカス機能を備えた撮像装置及びそのプログラムに関する。
【背景技術】
【０００２】
従来、撮像装置、例えば、デジタルカメラにおいては、被写体までの距離情報を検出し、該検出した距離情報に基づいて被写体に対してピントを合わせるという位相差検出方式によるＡＦ処理が一般的に知られている。この位相差検出方式は、一対のセンサアレイに結像された像から被写体までの距離を三角測距の原理に従って検出するというものである。
しかし、この位相差検出方式によるＡＦ処理においては、撮影状況の明暗などに左右され、撮影状況が暗いと、正しく被写体距離を検出することができず、ピントの合った画像を撮影することができなかった。
【０００３】
そのため、下記公開特許公報に記載の技術、すなわち撮影画面において人の顔が占める大きさ（ピクセル数）を、予め被写体までの距離ごとに求めテーブル化して、測距／合焦回路３０内のメモリに記憶する。測距／合焦回路３０は、測距時に撮像信号から人の顔を抽出し、抽出した撮像信号に対応するピクセル数をカウントして上記テーブルから被写体距離を求め、該求めた被写体距離に応じてフォーカスレンズを駆動させることにより被写体にピントを合わせる技術が登場してきている（特許文献）。
【０００４】
【特許文献１】公開特許公報  特開２００３−７５７１７（段落「００１１」〜段落「００１７」参照）
【発明の開示】
【発明が解決しようとする課題】
【０００５】
しかしながら、従来の撮像装置によれば、撮影状況が暗いと、正確に測距することができず、ピントのあった画像を得ることができないという問題点があった。
また、上記特許文献に記載の技術によれば、撮影状況の明暗に拘わらず、被写体までの距離を検出することができるが、ＣＣＤからの撮像信号のうち、人の顔による撮像信号を抽出し、該抽出した撮像信号による像が撮影画面に占める大きさにより被写体距離を演算するので、時間がかかり、ＣＰＵ１０などの処理負担が増大するという問題点があった。
また、ＣＣＤからの撮像信号の中で信号レベルの高いものを人の顔による撮像信号とみなすので、人の顔の大きさを誤認して被写体距離を演算するという問題点もあった。
【０００６】
そこで本発明は、かかる従来の問題点に鑑みてなされたものであり、撮影状況の明暗に拘わらず、迅速、且つ、的確に被写体距離の取得又は、被写体に対してオートフォーカスを行う撮像装置及びそのプログラムを提供することを目的とする。
【課題を解決するための手段】
【０００７】
上記目的達成のため、請求項１記載の発明による撮像装置は、被写体を撮像する撮像手段と、
人物撮影モードを設定する設定手段と、
前記設定手段により設定された人物撮影モードに対応する被写体表示枠を表示手段に表示させる表示制御手段と、
前記設定手段により設定された人物撮影モードに対応するフォーカス位置情報を取得する取得手段と、
前記取得手段により取得されたフォーカス位置情報に基づいて、フォーカスレンズを移動させることにより、被写体に対してフォーカスを行なうフォーカス制御手段と、
を備えたことを特徴とする。
【０００８】
また、例えば、請求項２に記載されているように、前記表示制御手段は、
被写体表示枠とともに、前記撮像手段により撮像された画像データの画像を前記表示手段に表示させるようにしてもよい。
【０００９】
また、例えば、請求項３に記載されているように、ユーザが複数の人物撮影モードのうち任意の人物撮影モードを１つ選択するための選択手段を備え、
前記設定手段は、
前記選択手段により選択された人物撮影モードを設定するようにしてもよい。
【００１０】
また、例えば、請求項４に記載されているように、人物撮影モードに対応する距離情報が記憶されている記憶手段を備え、
前記取得手段は、
前記設定手段により設定された人物撮影モードに対応する距離情報を前記記憶手段から読み出し、該読み出した距離情報に対応するフォーカス位置情報を取得するようにしてもよい。
【００１１】
また、例えば、請求項５に記載されているように、被写体をズームするためのズーム機能を制御する制御手段と、
前記制御手段により制御されたズーム機能のズーム倍率を取得する第１の倍率取得手段と、
を備え、
前記取得手段は、
前記設定手段により設定された人物撮影モード及び前記第１の倍率取得手段により取得されたズーム倍率に対応するフォーカス位置情報を取得するようにしてもよい。
【００１２】
また、例えば、請求項６に記載されているように、前記第１の倍率取得手段により取得されたズーム倍率にしたがって、前記設定手段により設定された人物撮影モードに対応するフォーカス位置情報を修正する修正手段を備え、
前記取得手段は、
前記修正手段により修正されたフォーカス位置情報を取得し、
前記フォーカス制御手段は、
前記取得手段により取得されたフォーカス位置情報に基づいて、フォーカスレンズを移動させることにより、被写体に対してフォーカスを行なうようにしてもよい。
【００１３】
また、例えば、請求項７に記載されているように、前記表示制御手段により前記表示手段に表示された被写体表示枠をズームさせるズーム制御手段と、
前記ズーム制御手段によりズームされた被写体表示枠のズーム倍率を取得する第２の倍率取得手段と、
を備え、
前記取得手段は、
前記設定手段により設定された人物撮影モード及び前記第２の倍率取得手段により取得されたズーム倍率に対応するフォーカス位置情報を取得するようにしてもよい。
【００１４】
また、例えば、請求項８に記載されているように、前記表示制御手段により前記表示手段に表示された被写体表示枠をズームさせるズーム制御手段と、
前記ズーム制御手段によりズームされた被写体表示枠のズーム倍率を取得する第２の倍率取得手段と、
を備え、
前記取得手段は、
前記設定手段により設定された人物撮影モード、前記第１の倍率取得手段及び前記第２の倍率取得手段により取得されたズーム倍率に対応するフォーカス位置情報を取得するようにしてもよい。
【００１５】
また、例えば、請求項９に記載されているように、前記フォーカス制御手段は、
前記取得手段により取得されたフォーカス位置情報に基づいて、被写体に対してパンフォーカスするようにしてもよい。
【００１６】
また、例えば、請求項１０に記載されているように、フォーカスレンズを移動させていくとともに、前記撮像手段により撮像された画像データのＡＦ評価値を検出し、該検出した複数のＡＦ評価値に基づいてフォーカスレンズを合焦レンズ位置に移動させるコントラストＡＦ手段を備え、
前記フォーカス制御手段は、
前記取得手段により取得されたフォーカス位置情報に基づいて、前記コントラストＡＦ手段により前記撮像手段により撮像された画像データのＡＦ評価値を検出するフォーカスレンズのレンズ位置を制限して、被写体に対してオートフォーカスを行なうようにしてもよい。
【００１７】
また、例えば、請求項１１に記載されているように、前記設定手段により人物撮影モードが設定されているか否かを判断する判断手段を備え、
前記フォーカス制御手段は、
前記判断手段により前記人物撮影モードが設定されていると判断された場合に、前記取得手段により取得されたフォーカス位置情報に基づいて、フォーカスレンズを移動させることにより、被写体に対してフォーカスを行なうようにしてもよい。
【００１８】
また、例えば、請求項１２に記載されているように、前記フォーカス制御手段は、
前記判断手段により前記人物撮影モードが設定されていないと判断された場合に、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えるようにしてもよい。
【００１９】
また、例えば、請求項１３に記載されているように、半押し操作と全押し操作が可能なシャッタボタンと、
前記シャッタボタンが半押しされたか否かを判断する第１の判断手段と、
前記シャッタボタンが一気に全押しされたか否かを判断する第２の判断手段と、
を備え、
前記フォーカス制御手段は、
前記第２の判断手段により前記シャッタボタンが一気に全押しされたと判断された場合は、前記取得手段により取得されたフォーカス位置情報に基づいて、フォーカスレンズを移動させることにより、被写体に対してフォーカスを行なうようにしてもよい。
【００２０】
また、例えば、請求項１４に記載されているように、前記第２の判断手段により前記シャッタボタンが一気に全押しされたと判断されたときに、前記設定手段により人物撮影モードが設定されているか否かを判断する第３の判断手段を備え、
前記フォーカス制御手段は、
前記第３の判断手段により前記人物撮影モードが設定されていると判断された場合に、前記取得手段により取得されたフォーカス位置情報に基づいて、フォーカスレンズを移動させることにより、被写体に対してフォーカスを行なうようにしてもよい。
【００２１】
また、例えば、請求項１５に記載されているように、前記フォーカス制御手段は、
前記第３の判断手段により前記人物撮影モードが設定されていないと判断された場合には、予め決められた固定焦点位置にフォーカスレンズを移動させることにより、被写体に対してフォーカスを行なうパンフォーカス制御手段を備えるようにしてもよい。
【００２２】
また、例えば、請求項１６に記載されているように、前記第１の判断手段により前記シャッタボタンが半押しされたと判断された場合には、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えるようにしてもよい。
【００２３】
また、例えば、請求項１７に記載されているように、前記コントラストＡＦ制御手段は、
前記第１の判断手段により前記シャッタボタン半押しされたと判断されたときに、前記設定手段により人物撮影モードの設定が行なわれている場合は、前記取得手段により取得されたフォーカス位置情報に基づいて、ＡＦ評価値を検出するフォーカスレンズのレンズ位置を制限してＡＦ評価値を検出するように制御する手段を含むようにしてもよい。
【００２４】
また、例えば、請求項１８に記載されているように、前記コントラストＡＦ制御手段によるＡＦ制御が完了する前に前記シャッタボタンが全押しされたか否かを判断する第４の判断手段を備え、
前記第２の判断手段は、
前記第４の判断手段により前記コントラストＡＦ制御手段によるＡＦ制御が完了する前に前記シャッタボタンが全押しされたと判断された場合には、前記シャッタボタンが一気に全押しされたと判断するようにしてもよい。
【００２５】
また、例えば、請求項１９に記載されているように、前記第２の判断手段は、
前記シャッタボタンが半押しされてから所定時間経過前に前記シャッタボタンが全押しされた場合には、前記シャッタボタンが一気に全押しされたと判断し、
前記第１の判断手段は、
前記シャッタボタンが半押しされてから前記シャッタボタンが全押しされることなく所定時間が経過した場合には、前記シャッタボタンが半押しされたと判断するようにしてもよい。
【００２６】
また、例えば、請求項２０に記載されているように、前記第２の判断手段は、
前記第１の判断手段により前記シャッタボタンが半押しされたと判断されることなく、前記シャッタボタンが全押しされたと判断した場合には、前記シャッタボタンが一気に全押しされたと判断するようにしてもよい。
【００２７】
上記目的達成のため、請求項２１記載の発明による撮像装置は、被写体を撮像する撮像手段と、
人物撮影モードを設定する設定手段と、
前記設定手段により設定された人物撮影モードに対応する被写体表示枠を表示手段に表示させる表示制御手段と、
前記設定手段により設定された人物撮影モードに対応する被写体距離情報を取得する取得手段と、
前記取得手段により取得された被写体距離情報を表示又は記録する制御手段と、
を備えたことを特徴とする。
【００２８】
また、例えば、請求項２２に記載されているように、前記制御手段は、
前記取得手段により取得された被写体距離情報を前記撮像手段により得られた画像データと関連付けて記録手段に記録する手段を含むようにしてもよい。
【００２９】
また、例えば、請求項２３に記載されているように、前記制御手段は、
前記取得手段により取得された被写体距離情報を前記撮像手段により得られた画像データと共に前記表示手段に表示する手段を含むようにしてもよい。
【００３０】
上記目的達成のため、請求項２４記載の発明によるプログラムは、被写体を撮像する撮像処理と、
人物撮影モードを設定する設定処理と、
前記設定処理により設定された人物撮影モードに対応する被写体表示枠を表示部に表示させる表示処理と、
前記設定処理により設定された人物撮影モードに対応するフォーカス位置情報を取得する取得処理と、
前記取得処理により取得されたフォーカス位置情報に基づいて、フォーカスレンズを移動させることにより、被写体に対してフォーカスを行なうフォーカス処理と、
を含み、上記各処理をコンピュータで実行させることを特徴とする。
【００３１】
上記目的達成のため、請求項２５記載の発明によるプログラムは、被写体を撮像する撮像処理と、
人物撮影モードを設定する設定処理と、
前記設定処理により設定された人物撮影モードに対応する被写体表示枠を表示部に表示させる表示処理と、
前記設定処理により設定された人物撮影モードに対応する被写体距離情報を取得する取得処理と、
前記取得処理により取得された被写体距離情報を表示又は記録する処理と、
を含み、上記各処理をコンピュータで実行させることを特徴とする。
【発明の効果】
【００３２】
請求項１記載の発明によれば、被写体を撮像する撮像手段と、人物撮影モードを設定する設定手段と、前記設定手段により設定された人物撮影モードに対応する被写体表示枠を表示手段に表示させる表示制御手段と、前記設定手段により設定された人物撮影モードに対応するフォーカス位置情報を取得する取得手段と、前記取得手段により取得されたフォーカス位置情報に基づいて、フォーカスレンズを移動させることにより、被写体に対してフォーカスを行なうフォーカス制御手段と、を備えるようにしたので、被写体表示枠と同等の大きさで表示されている被写体に対して、迅速にフォーカスを行なうことができる。
また、撮影状況が暗い場合であっても、誤測距することがなく、ピントの合った画像を得ることができる。
【００３３】
請求項２記載の発明によれば、前記表示制御手段は、被写体表示枠とともに、前記撮像手段により撮像された画像データの画像を前記表示手段に表示させるようにしたので、ユーザが簡単に撮像している被写体を被写体表示枠に合わせることができる。
【００３４】
請求項３記載の発明によれば、ユーザが複数の人物撮影モードのうち任意の人物撮影モードを１つ選択するための選択手段を備え、前記設定手段は、前記選択手段により選択された人物撮影モードを設定するようにしたので、ユーザが撮影したい構図に合った人物撮影モードを選択することができる。
【００３５】
請求項４記載の発明によれば、人物撮影モードに対応する距離情報が記憶されている記憶手段を備え、前記取得手段は、前記設定手段により設定された人物撮影モードに対応する距離情報を前記記憶手段から読出し、該読み出した距離情報に対応するフォーカス位置情報を取得するようにしたので、迅速にフォーカス位置情報を取得することができる。
【００３６】
請求項５記載の発明によれば、被写体をズームするためのズーム機能を制御する制御手段と、前記制御手段により制御されたズーム機能のズーム倍率を取得する第１の倍率取得手段と、を備え、前記取得手段は、前記設定手段により設定された人物撮影モード及び前記第１の倍率取得手段により取得されたズーム倍率に対応するフォーカス位置情報を取得するようにしたので、被写体にズームが行なわれた場合であっても、該ズームに応じたフォーカス位置情報を取得することができ、確実に被写体のピントを合わせることができる。
また、ズーム機能を有しているので、被写体をズームすることにより、撮影しようとする被写体を被写体表示枠に合うように簡単に調整することができる。
【００３７】
請求項６記載の発明によれば、前記第１の倍率取得手段により取得されたズーム倍率にしたがって、前記設定手段により設定された人物撮影モードに対応するフォーカス位置情報を修正する修正手段を備え、前記取得手段は、前記修正手段により修正されたフォーカス位置情報を修正し、前記フォーカス制御手段は、前記取得手段により取得されたフォーカス位置情報に基づいて、フォーカスレンズを移動させることにより、被写体に対してフォーカスを行なうようにしたので、ズームが行なわれた場合であっても、被写体表示枠と同等の大きさで表示されている被写体に対して迅速、且つ、確実にピントを合わせることができる。
【００３８】
請求項７記載の発明によれば、前記表示制御手段により前記表示手段に表示された被写体表示枠をズームさせるズーム制御手段と、前記ズーム制御手段によりズームされた被写体表示枠のズーム倍率を取得する第２の倍率取得手段と、を備え、前記取得手段は、前記設定手段により設定された人物撮影モード及び前記第２の倍率取得手段により取得されたズーム倍率に対応するフォーカス位置情報を取得するようにしたので、被写体表示枠がズームされた場合であっても、人物撮影モード及び被写体表示枠のズーム倍率に対応するフォーカスレンズの位置情報を取得することができ、被写体表示枠と同等の大きさで表示手段に表示されている被写体に対して迅速にフォーカスを行うことができる。
また、被写体表示枠をズームするズーム制御手段を有するので、被写体表示枠をズームすることにより、被写体表示枠を撮影しようとする被写体に合わすことが簡単に行うことができる。
【００３９】
請求項８記載の発明によれば、前記表示制御手段により前記表示手段に表示された被写体表示枠をズームさせるズーム制御手段と、前記ズーム制御手段によりズームされた被写体表示枠のズーム倍率を取得する第２の倍率取得手段と、を備え、前記取得手段は、前記設定手段により設定された人物撮影モード、前記第１の倍率取得手段及び前記第２の倍率取得手段により取得されたズーム倍率に対応するフォーカス位置情報を取得するようにしたので、被写体に対してのズーム、及び、被写体表示枠のズームが行われた場合であっても、被写体表示枠と同等の大きさで表示手段に表示されている被写体に対して迅速にフォーカスを行うことができる。
被写体をズームするズーム機能、被写体表示枠をズームする制御手段を有するので、ズーム機能によるズーム、被写体表示枠のズームを行うことにより、撮影しようとする被写体を被写体表示枠に合うように簡単に調整することができる。
【００４０】
請求項９記載の発明によれば、前記フォーカス制御手段は、前記取得手段により取得されたフォーカス位置情報に基づいて、被写体に対してパンフォーカスするようにしたので、被写体表示枠と同等の大きさで表示手段に表示されている被写体に対して迅速にフォーカスを行なうことができ、撮影状況が暗い場合であっても確実にピントを合わせることができる。
【００４１】
請求項１０記載の発明によれば、フォーカスレンズを移動させていくとともに、前記撮像手段により撮像された画像データのＡＦ評価値を検出し、該検出した複数のＡＦ評価値に基づいてフォーカスレンズを合焦レンズ位置に移動させるコントラストＡＦ手段を備え、前記フォーカス制御手段は、前記取得手段により取得されたフォーカス位置情報に基づいて、前記コントラストＡＦ手段により前記撮像手段により撮像された画像データのＡＦ評価値を検出するフォーカスレンズのレンズ位置を制限して、被写体に対してオートフォーカスを行なうようにしたので、迅速、且つ、高精度に被写体にオートフォーカスできる。
【００４２】
請求項１１記載の発明によれば、前記設定手段により人物撮影モードが設定されているか否かを判断する判断手段を備え、前記フォーカス制御手段は、前記判断手段により前記人物撮影モードが設定されていると判断された場合に、前記取得手段により取得されたフォーカス位置情報に基づいて、フォーカスレンズを移動させることにより、被写体に対してフォーカスを行なうようにしたので、人物撮影モードが設定されている場合は、迅速にフォーカスを行なうことができる。
【００４３】
請求項１２記載の発明によれば、前記フォーカス制御手段は、前記判断手段により前記人物撮影モードが設定されていないと判断された場合に、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えるようにしたので、人物撮影モードが設定されていない場合であっても、被写体にピントを合わせることができる。
【００４４】
請求項１３記載の発明によれば、半押し操作と全押し操作が可能なシャッタボタンと、前記シャッタボタンが半押しされたか否かを判断する第１の判断手段と、前記シャッタボタンが一気に全押しされたか否かを判断する第２の判断手段と、を備え、前記フォーカス制御手段は、前記第２の判断手段により前記シャッタボタンが一気に全押しされたと判断された場合は、前記取得手段により取得されたフォーカス位置情報に基づいて、フォーカスレンズを移動させることにより、被写体に対してフォーカスを行なうようにしてので、ユーザが一気に全押ししたと判断した場合、つまり、迅速な撮影をユーザが要求している場合には、フォーカス制御手段により迅速に被写体に対してフォーカスを行なうことができる。
【００４５】
請求項１４記載の発明によれば、前記第２の判断手段により前記シャッタボタンが一気に全押しされたと判断したときに、前記設定手段により人物撮影モードが設定されているか否かを判断する第３の判断手段を備え、前記フォーカス制御手段は、前記第３の判断手段により前記人物撮影モードが設定されていると判断された場合に、前記取得手段により取得されたフォーカス位置情報に基づいて、フォーカスレンズを移動させることにより、被写体に対してフォーカスを行なうようにしたので、人物撮影モードが設定されている状態で、迅速な撮影が要求されている場合は、迅速にフォーカスを行なうことができる。
【００４６】
請求項１５記載の発明によれば、前記フォーカス制御手段は、前記第３の判断手段により前記人物撮影モードが設定されていないと判断された場合には、予め決められた固定焦点位置にフォーカスレンズを移動させることにより、被写体に対してフォーカスを行なうパンフォーカス制御手段を備えるようにしたので、ユーザが一気に全押ししたと判断した場合、つまり、迅速な撮影をユーザが要求している場合には、パンフォーカスにより迅速に被写体に対してフォーカスを行なうことができる。
【００４７】
請求項１６記載の発明によれば、前記第１の判断手段により前記シャッタボタンが半押しされたと判断された場合には、フォーカスレンズを移動させていくとともに、前記撮像手段により撮像された画像データのＡＦ評価値を検出し、該検出した複数のＡＦ評価値の中でＡＦ評価値がピークとなるレンズ位置にフォーカスレンズを移動させることにより、被写体に対してオートフォーカスを行なうコントラストＡＦ制御手段を備えるようにしたので、シャッタボタンが半押しされた場合、つまり、迅速な撮影をユーザが要求していない場合には、コントラストＡＦ制御手段により、高精度に被写体に対してオートフォーカスを行なうことができる。
【００４８】
請求項１７記載の発明によれば、前記コントラストＡＦ制御手段は、前記第１の判断手段により前記シャッタボタンが半押しされたと判断されたときに、前記設定手段により人物撮影モードの設定が行なわれている場合は、前記取得手段により取得されたフォーカス位置情報に基づいて、ＡＦ評価値を検出するフォーカスレンズのレンズ位置を制限してＡＦ評価値を検出するように制御する手段を含むようにしたので、迅速、且つ、高精度に被写体にオートフォーカスできる。
【００４９】
請求項１８記載の発明によれば、前記コントラストＡＦ制御手段によるＡＦ制御が完了する前に前記シャッタボタンが全押しされたか否かを判断する第３の判断手段を備え、前記第２の判断手段は、前記第３の判断手段により前記コントラストＡＦ制御手段によるＡＦ制御が完了する前に前記シャッタボタンが全押しされたと判断された場合には、前記シャッタボタンが一気に全押しされたと判断するようにしたので、迅速に被写体に対してフォーカスすることができる。
【００５０】
請求項１９記載の発明によれば、前記第２の判断手段は、前記シャッタボタンが半押しされたから所定時間経過前に前記シャッタボタンが全押しされた場合には、前記シャッタボタンが一気に全押しされたと判断し、前記第１の判断手段は、前記シャッタボタンが半押しされてから前記シャッタボタンが全押しされることなく所定時間が経過した場合には、前記シャッタボタンが半押しされたと判断するようにしたので、前記シャッタボタンが半押しされても所定時間経過前に前記シャッタボタンが全押しされた場合には、一気に全押しされたと判断することができ、迅速に被写体にフォーカスを行なうことができる。
【００５１】
請求項２０記載の発明によれば、前記第２の判断手段は、前記第１の判断手段により前記シャッタボタンが半押しされたと判断されることなく、前記シャッタボタンが全押しされたと判断した場合には、前記シャッタボタンが一気に全押しされたと判断するようにしたので、ャッタボタンがいきなり全押しされたと判断した場合は、迅速なＡＦ処理を行うことができ、ＡＦ処理時間を短縮することができる。
【００５２】
請求項２１記載の発明によれば、被写体を撮像する撮像手段と、人物撮影モードを設定する設定手段と、前記設定手段により設定された人物撮影モードに対応する被写体表示枠を表示手段に表示させる表示制御手段と、前記設定手段により設定された人物撮影モードに対応する被写体距離情報を取得する取得手段と、前記取得手段により取得された被写体距離情報を表示又は記録する制御手段と、を備えるようにしたので、被写体表示枠と同等の大きさで表示手段に表示されている被写体までの距離をユーザは認識することができる。また、被写体距離情報を記録するので、後から、その被写体距離情報を読み出すことにより。被写体までの距離を認識することもできる。
【００５３】
請求項２２記載の発明によれば、前記制御手段は、前記取得手段により取得された被写体距離情報を前記撮像手段により得られた画像データと関連付けて記録手段に記録する手段を含むようにしたので、後からその画像データを再生するときに、被写体までの距離をユーザは認識することができる。
【００５４】
請求項２３記載の発明によれば、前記制御手段は、前記取得手段により取得された被写体距離情報を前記撮像手段により得られた画像データと共に前記表示手段に表示させる手段を含むようにしたので、表示された被写体表枠に被写体を合わせることができ、それにより、被写体までの距離をユーザは認識することができる。
【００５５】
請求項２４又は２５記載の発明によれば、デジタルカメラ、パソコン等に読み込ませることにより、本発明の撮像装置を実現することができる。
【発明を実施するための最良の形態】
【００５６】
以下、本実施の形態について、図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＤＲＡＭ８、メモリ９、ＣＰＵ１０、フラッシュメモリ１１、画像表示部１２、キー入力部１３、音声処理部１４、ストロボ駆動部１５、ストロボ発光部１６、カードＩ／Ｆ１７を備えており、カードＩ／Ｆ１７には、図示しないデジタルカメラ１本体のカードスロットに着脱自在に装着されたメモリ・カード１８が接続されている。
【００５７】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるモータと、ＣＰＵ１０からの制御信号にしたがってフォーカスモータ、ズームモータをそれぞれ光軸方向に駆動させるフォーカスモータドライバ、ズームモータドライバから構成されている。
【００５８】
絞り兼用シャッタ４は、図示しない駆動回路を含み、駆動回路はＣＰＵ１０から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。露出は、この絞りとシャッタ速度によって定めることができる。
【００５９】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ１０に送られる。
【００６０】
ＣＰＵ１０は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００６１】
ＤＲＡＭ８は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１１やメモリ・カード１８は、ＣＣＤ５によって撮像された画像データなどを保存しておく記録媒体である。なお、本実施例では、画像データの書き込み（記録）は、専らフラッシュメモリ１１を用いて説明しているが、ユーザのキー入力部１３の操作により、画像データをフラッシュメモリ１１に記録するか、メモリ・カード１８に記録するかを選択することができる。このフラッシュメモリ１１やメモリ・カード１８は、本発明の記録手段に相当する。
【００６２】
画像表示部１２は、カラーＬＣＤとその駆動回路を含み、撮影待機状態にあるときには、ＣＣＤ５によって撮像された被写体をスルー画像として表示し、記録画像の再生時には、保存用フラッシュメモリ１１やメモリ・カード１８から読み出され、伸張された記録画像を表示させる。この画像表示部１２は、本発明の表示手段に相当する。
キー入力部１３は、電源キー、シャッタボタン、ズームキー（Ｔｅｌｅキー、Ｗｉｄｅキーを有する）、人物撮影モードキー、解除キー等の複数の操作キーを含み、ユーザのキー操作に応じた操作信号をＣＰＵ１０に出力する。このキー入力部１３は、本発明の選択手段として機能する。
【００６３】
音声処理部１４は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ１０に送る。ＣＰＵ１０は、送られてきた音声データは、バッファメモリ（ＤＲＡＭ８）に順次記憶され、ＣＣＤ５によって撮像された画像データとともにフラッシュメモリ１１又はメモリ・カード１８に記録される。
また、音声処理部１４は、音声付画像の再生時には、各画像データに付属する音声データに基づく音声等を内蔵スピーカから放音する。
【００６４】
ストロボ駆動部１５は、ＣＰＵ１０の制御信号にしたがって、ストロボ発光部１６を閃光駆動させ、ストロボ発光部１６はストロボを閃光させる。ＣＰＵ１０は、ＣＣＤ５出力（又は図示しない測光回路）によって撮影シーンが暗いか否かを判断し、撮影シーンが暗いと判断し、且つ、撮影を行うと判断した場合（シャッタボタン押下時）には、ストロボ駆動部１５に制御信号を送る。
【００６５】
Ｂ.以下、本発明の特徴となるデジタルカメラ１のそれぞれの構成の機能について説明する。
ユーザのキー入力部１３の電源キーの操作によりデジタルカメラ１の電源がＯＮされると、ＣＰＵ１０は、ＣＣＤ５による被写体の撮像を開始させ、ＣＣＤ５によって撮像された被写体の画像データに対して画像処理を施してバッファメモリ（ＤＲＡＭ８）に記憶し、該記憶した画像データの画像を画像表示部１２に表示させるという、いわゆるスルー画像表示を開始する。
【００６６】
スルー画像表示を開始すると、ＣＰＵ１０は、キー入力部１３のズームキーの操作が行われたか否かを判断する。この判断は、キー入力部１３からズームキーの操作に対応する操作信号が送られてきたか否かにより判断し、送られてきた場合には、ズーム操作が行われたと判断する。
ズーム操作が行われたと判断すると、ＣＰＵ１０は、ユーザのズームキーの操作にしたがってレンズ駆動ブロック３に制御信号を送り、レンズ駆動ブロック３は該送られてきた制御信号にしたがって、ズームレンズを駆動させる（制御手段）。
【００６７】
このとき、ユーザがズームキーのＴｅｌｅキーの操作を行うと、ＣＰＵ１０は、レンズ駆動ブロック３にズームレンズを被写体側に駆動させるような制御信号を送り、レンズ駆動ブロック３は、該制御信号にしたがってズームレンズを被写体側に駆動させる。また、ズームキーのＷｉｄｅキーの操作を行うと、ＣＰＵ１０は、レンズ駆動ブロック３にズームレンズを撮影者側に駆動させるような制御信号を送り、レンズ駆動ブロック３は、該制御信号にしたがってズームレンズを撮影者側に駆動させる。
【００６８】
また、ＣＰＵ１０は、ユーザによって人物撮影モードの選択が行われたか否かの判断を行う。この判断は、キー入力部１３から人物撮影モードキーの操作に対応する操作信号が送られてきたか否かにより判断し、送られてきた場合には人物撮影モードの選択が行われたと判断する。
ＣＰＵ１０は、人物撮影モードの選択が行われたと判断すると、該選択された
人物撮影モードの設定を行う（設定手段）。この設定は、該選択された人物撮影モードを示す情報をメモリ９の人物撮影モード記憶領域に記憶させることにより行なわれる。
【００６９】
ここで、人物撮影モードは複数あり、ユーザは、人物撮影モードキーの操作を行うことにより、任意の人物撮影モードを１つ選択することができる。例えば、人物撮影モードキーを１回押下すると人物撮影モード１になり、もう１回人物撮影モードキーを操作すると、人物撮影モード２に切り替わるというように、人物撮影モードキーを操作していくと、人物撮影モードが１から順々に切り替わる。
【００７０】
ＣＰＵ１０は、人物撮影モードの設定を行うと、人物撮影モードに対応する被写体表示枠を画像表示部１２に表示させる（表示制御手段）。
図２の（ａ）から（ｄ）は、画像表示部１２に表示される人物撮影モードに対応する被写体表示枠の様子を示すものである。
図２の（ａ）は、人物撮影モード１に対応する被写体表示枠を示しており、（ｂ）は、人物撮影モード２に対応する被写体表示枠を示しており、（ｃ）は、人物撮影モード３に対応する被写体表示枠を示しており、（ｄ）は、人物撮影モード４に対応する被写体表示枠を示している。この人物撮影モードに対応する被写体表示枠は予めメモリ９に記録されている。
【００７１】
また、ＣＰＵ１０は、人物撮影モードの設定を行うと、ユーザによって人物撮影モードの選択変更が行われたか否かの判断も行う。この判断は、人物撮影モードの選択が行われたか否かの判断と同様に、キー入力部１３から人物撮影モードキーの操作に対応する操作信号が送られてきたか否かにより判断し、送られてきた場合には人物撮影モードの選択変更が行われたと判断する。
そして、ＣＰＵ１０は、人物撮影モードの選択変更が行われたと判断すると、ユーザのキー操作にしたがって、新たに人物撮影モードの設定を行う。つまり、人物撮影モード記憶領域に既に記憶されている人物撮影モードを示す情報に、新たに選択された人物撮影モードを示す情報を上書きして記憶させる。
ここで、ユーザは、画像表示部１２に表示されている撮影を行いたい被写体を、この表示されている被写体表示枠に合わせるようにカメラの位置の調節、及びズーム倍率の調整を行う。
【００７２】
また、ＣＰＵ１０は、人物撮影モードの設定を行うと、設定した人物撮影モードの解除を行うか否かの判断も行う。この判断は、ユーザのキー入力部１３の解除キーの操作に対応する操作信号が、キー入力部１３から送られてきたか否かにより判断し、送られてきた場合には人物撮影モードの解除を行うと判断する。
ＣＰＵ１０は、人物撮影モードの解除を行うと判断すると、設定した人物撮影モードの設定の解除を行い、画像表示部１２に表示している被写体表示枠の表示を禁止させる。この設定解除は、メモリ９の人物撮影モード記憶領域に記憶されている人物撮影モードを示す情報を消去することにより行なう。
【００７３】
また、ＣＰＵ１０は、ユーザによってシャッタボタンが押下されたか否かの判断を行う。この判断は、キー入力部１３からシャッタボタン押下に対応する操作信号が送られてきたか否かにより判断し、送られてきた場合にはシャッタボタンが押下されたと判断する
ＣＰＵ１０は、シャッタボタンが押下されたと判断すると、人物撮影モードの設定を行っているか否かの判断を行う。
【００７４】
ＣＰＵ１０は、シャッタボタンが押下されたときに、人物撮影モードの設定を行っていると判断した場合には、該設定した人物撮影モードに対応する距離を示す情報（距離情報）をメモリ９に記録されている距離情報テーブルから読み出す（取得手段）。
ここで、図２（ｅ）は、メモリ９に記憶されている距離情報テーブルの内容を示すものである。図２（ｅ）を見ると、人物撮影モード１に対応する距離は０．５ｍであり、人物撮影モード２に対応する距離は１．０ｍであり、人物撮影モード３に対応する距離は２．０ｍであり、人物撮影モード４に対応する距離は３．０ｍであることがわかる。
【００７５】
このメモリ９に記録されている人物撮影モードに対応する距離の決め方は、ズーム倍率が１倍、つまり、ズームが行われていない状態で、人物撮影モードに対応する被写体表示枠と同等の大きさで画像表示部１２に表示されている人物（被写体）がいると仮定したときのその人物（被写体）までの距離によって決まる。したがって、図２（ａ）に示すように被写体表示枠が大きければ距離は短くなり、図２（ｄ）に示すように被写体表示枠が小さければ距離は遠くなる。
また、ＣＰＵ１０は、シャッタボタンが押下されたと判断したときに、人物撮影モードの設定を行っている場合には、現在のズームレンズの位置からズーム倍率の取得も行う（第１の倍率取得手段）。
【００７６】
そして、ＣＰＵ１０は、ズーム倍率を勘案して該読み出した距離情報の修正を行う（修正手段）。ズーム倍率が２倍、３倍の場合には、該読み出した距離情報の距離より遠い位置に被写体がいるからである。例えば、図２（ｆ）に示すように被写体表示枠と同等の大きさで画像表示部１２に表示されている青年（被写体）が、ズーム倍率１倍で撮像されている場合と、ズーム倍率３倍で撮像されている場合とでは、その青年までの距離は異なるからである。
【００７７】
この距離情報の修正は、該読み出した距離情報と現在のズーム倍率とから被写体までの距離情報（被写体距離情報）を算出するようにしてもよいし、予め距離情報とズーム倍率との関係を示したテーブルをメモリ９に記憶させておくようにしてもよい。
そして、ＣＰＵ１０は、該修正した被写体距離情報を取得し（取得手段）、該得られた被写体距離情報に対応する位置にフォーカスレンズを移動させて（フォーカス制御手段）、静止画撮影処理を行い、該得られた画像データ及び被写体距離情報を関連付けてフラッシュメモリ１１に記録する。
そして、ＣＰＵ１０は、フラッシュメモリ１１に記録した画像データの画像及び被写体距離情報を画像表示部１０に表示させる。
【００７８】
一方、ＣＰＵ１０は、シャッタボタンが押下されたときに、人物撮影モードの設定を行っていないと判断した場合には、ＡＦ処理を行ってから、静止画撮影処理を行い、該得られた画像データをフラッシュメモリ１１に記録する。このＡＦ処理は、コントラスト検出方式によるＡＦ処理や、位相差検出方式によるＡＦ処理などによって行われる。
【００７９】
メモリ９には、ＣＰＵ１０によるデジタルカメラ1の各部の制御に必要なプログラム、及び各部の制御に必要なデータ（距離情報テーブルなど）が記録されており、ＣＰＵ１０は、このプログラムにしたがって処理を行うことにより本発明の撮像装置として機能する。このメモリ９は、本発明の記憶手段として機能する。
【００８０】
Ｃ．デジタルカメラ１の動作
第１の実施の形態におけるデジタルカメラ１の動作を図３乃至図５のフローチャートにしたがって説明する。
まず、ユーザのキー入力部１３の電源キーの操作により、デジタルカメラ１の電源がＯＮされると、ＣＣＤ５による被写体の撮像を開始し、撮像した被写体のスルー画像を画像表示部１２に表示させるという、スルー画像表示を開始させる（ステップＳ１）。
次いで、ユーザによってキー入力部１３のズームキーの操作が行われたか否かを判断する（ステップＳ２）。この判断は、キー入力部１３からズームキーの操作に対応する操作信号がＣＰＵ１０に送られてきたか否かにより判断する。
【００８１】
ステップＳ２で、ズームキーの操作があると判断すると、ユーザのズームキーの操作にしたがってズームレンズを駆動させて（ステップＳ３）、ステップＳ４に進む。例えば、ズームキーのＴｅｌｅキーが操作された場合には、ズームレンズを光軸に沿って被写体の方へ駆動させ、Ｗｉｄｅキーが操作された場合には、ズームレンズを光軸に沿って撮影者の方へ駆動させる。
一方、ステップＳ２で、ズームキーの操作がないと判断すると、そのままステップＳ４に進む。
【００８２】
ステップＳ４に進むと、人物撮影モードの選択が行われたか否かを判断する。この判断は、ユーザによってキー入力部１３の人物撮影モードキーの操作により、キー入力部１３から人物撮影モードキーの操作に対応する操作信号が送られてきた場合には、人物撮影モードの選択が行われたと判断する。
ここで、人物撮影モードは複数あり、ユーザは、人物撮影モードキーの操作を行うことにより、任意の人物撮影モードを１つ選択することができる。例えば、人物撮影モードキーを１回押下すると人物撮影モード１になり、もう１回人物撮影モードキーを操作すると、人物撮影モード２に切り替わるというように、人物撮影モードキーを操作していくと、人物撮影モードが１から順々に切り替わる。なお、最後の人物撮影モードが選択されている状態で人物撮影モードキーを操作した場合は、最初の人物撮影モード１に切り替わるものとする。
ここでは、人物撮影モードキーを１回押下したものとする。
【００８３】
次いで、ユーザのキー操作にしたがって選択された人物撮影モードの設定を行う（ステップＳ５）。ここでは、ユーザが人物撮影モードキーの押下を１回行ったので、人物撮影モード１の設定を行うこととなる。
次いで、設定した人物撮影モードに対応する被写体表示枠を画像表示部１２に表示させる（ステップＳ６）。ここでは、人物撮影モード１の設定を行っているので、画像表示部１２に表示される被写体表示枠は、図２（ａ）に示すような被写体表示枠となる。このとき、画像表示部１２には、被写体表示枠の他にＣＣＤ５によって撮像された被写体のスルー画像も表示されていることは言うまでもない。
【００８４】
ここで、ユーザは、画像表示部１２に表示された撮影しようとする被写体が被写体表示枠に丁度収まるように、デジタルカメラ１の位置・高さや、ズーム倍率を変えるように調節する。
図２（ｆ）は、被写体が被写体表示枠に丁度収まったときの様子を示すものである。
この図２（ｆ）は、ズーム倍率を３倍にして被写体（青年の上半身）が被写体表示枠に収まったときの様子を示すものである。
【００８５】
ステップＳ６で、設定した人物撮影モードに対応する被写体表示枠を画像表示部１０に表示させると、ユーザによってシャッタボタンが押下されたか否かの判断を行う（ステップＳ７）。この判断は、ユーザのキー入力部１３のシャッタボタン押下に対応する操作信号が、キー入力部１３から送られてきたか否かにより判断する。
【００８６】
ステップＳ７で、シャッタボタンが押下されていないと判断すると、図４のステップＳ８に進み、現在人物撮影モードを設定しているか否かの判断を行う。
ステップＳ８で人物撮影モードの設定を行っていないと判断すると、ステップＳ２に戻り、人物撮影モードの設定を行っていると判断すると、人物撮影モードの解除を行うか否かの判断を行う（ステップＳ９）。この判断は、ユーザのキー入力部１３の解除キーの操作に対応する操作信号が、キー入力部１３から送られてきたか否かにより判断し、送られてきた場合には人物撮影モードの解除を行うと判断する。例えば、被写体表示枠を表示させずに、ユーザが被写体の撮影を行いたい場合もあるからである。なお、最後の人物撮影モードが選択されている状態で人物撮影モードキーを操作した場合に、人物撮影モードが解除されるようにしてもよい。
ステップＳ９で、人物撮影モードの解除を行うと判断すると、人物撮影モードの設定を解除し、画像表示部１２の被写体表示枠の表示を禁止させて（ステップＳ１０）、ステップＳ２に戻る。このときはＣＣＤ５によって撮像された被写体のスルー画像のみが画像表示部１２に表示される。
【００８７】
一方、ステップＳ９で、人物撮影モードの解除を行わないと判断すると、人物撮影モードの選択を変更するか否かの判断を行う（ステップＳ１１）。この判断は、ユーザのキー入力部１３の人物撮影モードキーの操作に対応する操作信号が、キー入力部１３から送られてきたか否かにより判断し、送られてきた場合には人物撮影モードの選択を変更すると判断する。
ステップＳ１１で、人物撮影モードの選択を変更しないと判断するとステップＳ２に戻り、人物撮影モードの選択を変更すると判断すると、ステップＳ５に戻り、ユーザの人物撮影モードキーの操作にしたがって、新たに選択された人物撮影モードの設定を行う。例えば、人物撮影モード１に対応する被写体表示枠を表示させているときに、人物撮影モード３に対応する被写体表示枠となるような被写体（被写体の全身）を撮影したい場合もあるからである。
【００８８】
一方、ステップＳ７で、ユーザによってシャッタボタンが押下されたと判断すると、図５のステップＳ１２に進み、現在、人物撮影モードを設定しているか否かの判断を行う。
ステップＳ１２で、人物撮影モードの設定を行っていると判断すると、設定している人物撮影モードに対応する距離情報をメモリ９に記憶されている距離情報テーブルから読み出す（ステップＳ１３）。
次いで、現在のズーム倍率をズームレンズの位置情報から取得する（ステップＳ１４）。
【００８９】
そして、取得したズーム倍率にしたがって距離情報テーブルから読み出した距離情報を修正することにより被写体までの距離情報（被写体距離情報）を算出する（ステップＳ１５）。距離情報テーブルに記憶されている距離情報は、ズーム倍率が１倍、つまり、ズームが行われていないときの、それぞれの人物撮影モードに対応する被写体表示枠と同等の大きさで画像表示部１２に表示されている人物（被写体）がいると仮定したときの、その人物（被写体）までの距離を示した情報であり、ズームが行われると、被写体までの距離も当然に変わってくるからである。
なお、予め人物撮影モードとズーム倍率に応じた距離情報を記録したテーブルを有するようにし、人物撮影モードとズーム倍率にしたがって、該テーブルから距離情報を取得し、該取得した距離情報を被写体距離情報とするようにしてもよい。
【００９０】
ステップＳ１５で、修正した（算出した）被写体距離情報に基づいてフォーカスレンズを駆動させて（ステップＳ１６）、ステップＳ１８に進む。これにより、被写体表示枠に丁度収まった被写体に対しては、ピントが合うことになる。
一方、ステップＳ１２で、人物撮影モードの設定を行っていないと判断すると、被写体に対してＡＦ処理を行ってから（ステップＳ１７）、ステップＳ１８に進む。人物撮影モードの設定を行っていないと判断すると、画像表示部１２に被写体表示枠が表示されておらず、被写体までの距離を推測することができないため、通常のＡＦ処理によって被写体に対してピントを合わせることとなる。このＡＦ処理の方法としては、アクティブ方式によるＡＦ処理や、パッシブ方式によるＡＦ処理（位相差検出方式によるＡＦ処理など）であってもよいし、コントラスト検出方式によるＡＦ処理、予め決められた固定焦点位置にフォーカスレンズを移動させることにより、被写体に対してフォーカスを行なうパンフォーカスであってもよいし、ＡＦ評価値を検出するフォーカスレンズのレンズ位置の数を通常のＡＦ処理時よりも少なくした簡易的なＡＦ処理であってもよい。
ステップＳ１８に進むと、被写体を撮影すべく静止画撮影処理を行い、該静止画撮影処理により得られた画像データと被写体距離情報を関連付けてフラッシュメモリ１１に記録する（ステップＳ１９）。
このとき、静止画像データと関連付けられて記録される被写体距離情報は、図５のステップＳ１６で被写体に対してピントを合わせて静止画撮影処理を行った場合はステップＳ１５で修正された被写体距離情報であり、ステップＳ１７でＡＦ処理が実行されて静止画撮影処理を行った場合にはステップＳ１７のＡＦ処理により得られた被写体距離情報である。例えば、ステップＳ１７のＡＦ処理の方式が、アクティブ方式やパッシブ方式の場合にはＡＦ処理を行うために検出した被写体距離情報を記録させ、コントラスト検出方式の場合には、被写体に対してフォーカスしたときのフォーカスレンズのレンズ位置に基づいて得られた被写体距離情報を記録させることとなる。
次いで、フラッシュメモリ１１に記録した画像データの画像とともに、関連付けて記録された被写体距離情報を画像表示部１２に表示させる（ステップＳ２０）。
【００９１】
Ｄ．以上のように、第１の実施の形態においては、設定した人物撮影モードに対応する距離情報と、現在のズーム倍率を取得し、該取得したズーム倍率にしたがって距離情報を修正することにより、被写体距離情報を得るようにしたので、ユーザが撮影しようとする被写体を、人物撮影モードに対応する被写体表示枠と合うように調整することにより、撮影状況が暗い場合でも正確に被写体に対してフォーカスすることができる。
また、それぞれの人物撮影モードに対応する被写体距離情報を予め記憶させておくので、迅速に被写体距離情報を得ることができ、従来のＡＦ処理などに比べ、ＣＰＵ１０の処理負担を軽減することができる。
また、人物撮影モードに対応する距離情報を取得するので、ユーザが被写体表示枠にユーザが撮影しようとする被写体を合わせることにより、誤測距というものがなく、ピントのボケた画像を得ることがない。
【００９２】
［第２の実施の形態］
次に第２の実施の形態について説明する。
Ｅ.デジタルカメラ１の動作
第２の実施の形態も、図１に示したものと同様の構成を有するデジタルカメラ１を用いることにより本発明の撮像装置を実現する。
但し、キー入力部１３のシャッタボタンは、半押し操作と全押し操作が可能なシャッタボタンであり、又、メモリ９には、距離情報テーブルの他に、デフォルトのフォーカス位置情報が記録されている。
【００９３】
以下、第２の実施の形態のデジタルカメラ１の動作を図６及び図７のフローチャートにしたがって説明する。
ユーザのキー入力部１３の電源キーの操作により、デジタルカメラ１の電源がＯＮされると、ＣＣＤ５による撮像を開始し、撮像した被写体のスルー画像を画像表示部１２に表示させるという、スルー画像表示を開始させる（ステップＳ５１）。
【００９４】
次いで、ＣＰＵ１０は、ユーザによってキー入力部１３のズームキーの操作が行なわれたか否かを判断する（ステップＳ５２）。
ステップＳ５２で、ズームキーの操作があると判断すると、ＣＰＵ１０は、ユーザのズームキーの操作にしたがってズームレンズを駆動させて（ステップＳ５３）、ステップＳ５４に進み、ステップ５２で、ズームキーの操作がないと判断するとそのままステップＳ５４に進む。
【００９５】
ステップＳ５４に進むと、ＣＰＵ１０は、人物撮影モードの選択が行なわれたか否かを判断する。このとき、既に人物撮影モードが選択されている状態の場合は、人物撮影モードの選択が変更されたか否かの判断も行う。この判断は、人物撮影モードキーの操作に対応する操作信号がキー入力部１３から送られてきたか否かにより判断する。
ステップＳ５４で、人物撮影モードの選択が行なわれたと判断すると、ＣＰＵ１０は、該選択された人物撮影モードの設定を行なう（ステップＳ５５）。つまり、該選択された人物撮影モードを示す情報をメモリ９の人物撮影モード記憶領域に記憶させる。
【００９６】
なお、人物撮影モードが選択されている状態の場合に、人物撮影モードの再選択が行なわれた場合、つまり、人物撮影モードの選択が変更された場合には、メモリ９の人物撮影モード記憶領域には、既に人物撮影モードを示す情報が記憶されているので、新たに選択された人物撮影モードを示す情報を上書きして記憶させる。
そして、ＣＰＵ１０は、該設定した人物撮影モードに対応する被写体表示枠を画像表示部１２に表示させて（ステップＳ５６）、ステップＳ５７に進む。
一方、ステップＳ５４で、人物撮影モードの選択が行なわれていないと判断すると、そのままステップＳ５７に進む。
【００９７】
ステップＳ５７に進むと、ＣＰＵ１０は、ユーザによってシャッタボタンが半押しされたか否かの判断を行う。この判断は、シャッタボタン半押しに対応する操作信号がキー入力部１３から送られてきたか否かにより判断する。
ステップＳ５７で、シャッタボタンが半押しされていないと判断すると、ＣＰＵ１０は、人物撮影モードが現在設定されているか否かの判断を行う（ステップＳ５８）。この判断は、メモリ９の人物撮影モード記憶領域に人物撮影モードを示す情報が記憶されているか否かにより判断を行う。
【００９８】
ステップＳ５８で、人物撮影モードが現在設定されていないと判断するとステップＳ５２に戻り、ステップＳ５８で、人物撮影モードが設定されていると判断すると、ＣＰＵ１０は、人物撮影モードの解除を行なうか否かの判断を行う（ステップＳ５９）。
ステップＳ５９で、人物撮影モードの解除を行なわないと判断するとステップＳ５２に戻り、ステップＳ５９で、人物撮影モードの解除を行なうと判断すると、ＣＰＵ１０は、人物撮影モードの設定を解除し、つまり、メモリ９の人物撮影モード記憶領域に記憶されている人物撮影モードを示す情報を消去し、画像表示部１２の被写体表示枠の表示を禁止させて（ステップＳ６０）、ステップＳ５２に戻る。
【００９９】
一方、ステップＳ５７で、シャッタボタンが半押しされたと判断すると、ＣＰＵ１０は、ＡＦ処理を開始する（ステップＳ６１）。このＡＦ処理の方式としては、アクティブ方式によるＡＦ処理や、パッシブ方式によるＡＦ処理であってもよいが、ここではコントラスト検出方式によるＡＦ処理を採択する。
ＡＦ処理を開始すると、ＣＰＵ１０は、該ＡＦ処理が完了したか否かの判断を行なう（ステップＳ６２）。
ステップＳ６２で、ＡＦ処理が完了していないと判断すると、ＣＰＵ１０は、ユーザによってシャッタボタンが全押しされたか否かの判断を行う（ステップＳ６３）。この判断は、シャッタボタン全押しに対応する操作信号がキー入力部１３から送られてきたか否かにより判断する。
ステップＳ６３で、シャッタボタンが全押しされていないと判断するとステップＳ６２に戻る。
【０１００】
ステップＳ６２でＡＦ処理が完了したと判断する前に、ステップＳ６３でシャッタボタンが全押しされたと判断すると、ユーザが迅速な撮影を要求していると判断し、図７のステップＳ６４に進む。ＡＦ処理が完了する前にシャッタボタンが全押しされる場合としては、ユーザが一気にシャッタボタンを全押しした場合などがある。
図７のステップＳ６４に進むと、ＣＰＵ１０は、人物撮影モードが現在設定されているか否かの判断を行う。このとき、ＣＰＵ１０は、現在行なっているＡＦ処理を中止させる。
【０１０１】
ステップＳ６４で、人物撮影モードが現在設定されていると判断すると、ＣＰＵ１０は、設定している人物撮影モードに対応する距離情報をメモリ９に記憶されている距離情報テーブルから読み出す（ステップＳ６５）。
次いで、ＣＰＵ１０は、現在のズーム倍率をズームレンズの位置情報から取得する（ステップＳ６６）。
【０１０２】
そして、ＣＰＵ１０は、該取得したズーム倍率にしたがって距離情報テーブルから読み出した距離情報を修正することにより被写体までの距離情報（被写体距離情報）を算出する（ステップＳ６７）。なお、予め人物撮影モードとズーム倍率に応じた距離情報を記録したテーブルを有するようにし、人物撮影モードとズーム倍率にしたがって、該テーブルから距離情報を取得し、該取得した距離情報を被写体距離情報とするようにしてもよい。
次いで、ＣＰＵ１０は、該修正した被写体距離情報に基づいてフォーカスレンズを駆動させて（ステップＳ６８）、図６のステップＳ７４に進む。これにより、撮影したい被写体にピントを合わせることができる。
【０１０３】
一方、ステップＳ６４で、人物撮影モードが現在設定されていないと判断すると、ＣＰＵ１０は、デフォルトのフォーカス位置情報（固定焦点位置の情報）をメモリ９から読み出す（ステップＳ６９）。そして、ＣＰＵ１０は、該読み出したデフォルトのフォーカス位置情報に基づいてフォーカスレンズを駆動させて（ステップＳ７０）、静止画撮影処理を行い、該撮影処理により得られた静止画像データをフラッシュメモリ１１に記録させ（ステップＳ７１）、該記録した静止画像データの画像を画像表示部１２に表示させる（ステップＳ７２）。なお、ステップＳ６９、Ｓ７０でパンフォーカス処理を行うようにしたが、ＡＦ評価値を検出するフォーカスレンズのレンズ位置の数を通常のＡＦ処理（図６のステップＳ６１で開始されるＡＦ処理）時よりも少なくした簡易的なＡＦ処理を行なうようにしてもよい。
【０１０４】
一方、ステップＳ６３で、シャッタボタンが全押しされたと判断されることなく、ステップＳ６２でＡＦ処理が完了したと判断すると、ＣＰＵ１０は、ユーザによってシャッタボタンが全押しされたか否かの判断を行う（ステップＳ７３）。この判断は、シャッタボタン全押しに対応する操作信号がキー入力部１３から送られてきたか否かにより判断する。
ステップＳ７３で、シャッタボタンが全押しされていないと全押しされると判断されるまでステップＳ７３に留まり、ステップＳ７３で、シャッタボタンが全押しされたと判断するとステップＳ７４に進む。
【０１０５】
ステップＳ７４に進むと、ＣＰＵ１０は、静止画撮影処理を行い、該撮影処理により得られた静止画像データと被写体距離情報とを関連付けてフラッシュメモリ１１に記録させる（ステップＳ７５）。
このとき、静止画像データと関連付けられて記録される被写体距離情報は、図７のステップＳ６８で被写体に対してピントを合わせて静止画撮影処理を行った場合はステップＳ６７で修正された被写体距離情報であり、ステップＳ７３でシャッタボタンが全押しされて静止画撮影処理を行った場合にはステップＳ６１のＡＦ処理により得られた被写体距離情報である。例えば、ステップＳ６１のＡＦ処理の方式が、アクティブ方式やパッシブ方式の場合にはＡＦ処理を行うために検出した被写体距離情報を記録させ、コントラスト検出方式の場合には、被写体に対してフォーカスしたときのフォーカスレンズのレンズ位置に基づいて得られた被写体距離情報を記録させることとなる。
静止画像データと距離情報とを関連付けて記録すると、ＣＰＵ１０は、該記録した静止画像データの画像と被写体距離情報に基づく被写体距離とを画像表示部１２に表示させる（ステップＳ７６）。
【０１０６】
Ｆ．以上のように、第２の実施の形態においては、シャッタボタン半押しによりＡＦ処理が開始されてから、完了するまでにシャッタボタンが全押しされたと判断すると、ユーザが迅速な撮影を要求していると判断して、設定した人物撮影モードに対応する距離情報とズーム倍率に応じた被写体距離情報に基づいてフォーカスを行なうので、人物撮影モードに対応する被写体表示枠に撮影したい被写体を合わすことにより、撮影状況が暗い場合であっても正確に被写体に対してフォーカスを行なうことができ、また、迅速に被写体にピントを合わせることができる。
また、ユーザが迅速な撮影を要求している場合であって、人物撮影モードが設定されていない場合は、予め決められた固定焦点位置に基づいてフォーカスを行なうので、迅速に被写体にピントを合わすことができる。
また、ユーザが迅速な撮影を要求していない場合には、ＡＦ処理により被写体に対してオートフォーカスを行なうので、高精度に被写体にピントを合わすことができる。
【０１０７】
［変形例１］
また、上記各実施の形態は、以下のような変形例も可能である。
変形例１においては、メモリ９に記録されている距離情報テーブルに替えて、フォーカス位置テーブルを記録させておく。
図８（ａ）は、メモリ９に記録されているフォーカス位置情報の様子を示すものであり、このフォーカス位置テーブルには、人物撮影モード毎にサンプリングポイントとなる３点のフォーカス位置情報が記録されている。この人物撮影モード毎のサンプリングポイントは、各人物撮影モードに対応する被写体距離にピントが合うようなフォーカス位置である。
【０１０８】
次に、変形例１におけるデジタルカメラの動作を図８（ｂ）のフローチャートにしたがって説明する。なお、上記第１及び第２の実施の形態と、同様の処理については説明を省略する。
図５のステップＳ１２で、人物撮影モードが現在設定されていると、又は、図７のステップＳ６４で、人物撮影モードが現在設定されていると判断すると、図８のステップＳ１０１に進み、ＣＰＵ１０は、現在設定している人物撮影モードに対応するサンプリングポイントとなる３点のフォーカス位置情報をメモリ９のフォーカス位置テーブルから取得する。
【０１０９】
例えば、ここでは設定されている人物撮影モードを人物撮影モード３とすると、取得する３点のフォーカス位置情報は、被写界深度が１．５ｍ〜２．１ｍとなるフォーカス位置の情報と、被写界深度が１．８ｍ〜２．５ｍとなるフォーカス位置の情報と、被写界深度が２．０ｍ〜２．７ｍとなるフォーカス位置の情報との３点のフォーカス位置の情報となる。
【０１１０】
次いで、ＣＰＵ１０は、現在のズーム倍率をズームレンズの位置情報から取得する（ステップＳ１０２）。
そして、ＣＰＵ１０は、該取得したズーム倍率にしたがって該取得したサンプリングポイントとなる３点のフォーカス位置情報の修正を行なう（ステップＳ１０３）。ズーム倍率に応じてフォーカス位置も異なってくるからである。
【０１１１】
なお、予め人物撮影モードとズーム倍率に応じた３点のフォーカス位置情報を記録したテーブルを有するようにし、人物撮影モードとズーム倍率にしたがって、該テーブルから、３点のフォーカス位置情報を取得するようにしてもよい。
【０１１２】
次いで、ＣＰＵ１０は、該修正したサンプリングポイントとなる３点のフォーカス位置情報に基づいてコントラスト検出方式によるＡＦ処理を開始する（ステップＳ１０４）。
このサンプリングポイントとなる３点のフォーカス位置情報に基づいたコントラスト検出方式によるＡＦ処理とは、コントラスト検出方式によるＡＦ処理によりＡＦ評価値（コントラスト値）を検出するフォーカスレンズのレンズ位置を、該修正した３点のフォーカス位置に限定し、その中でＡＦ評価値がピークとなるフォーカス位置にフォーカスレンズを駆動させるというものである。
【０１１３】
なお、サンプリングポイントとなる複数のフォーカス位置情報を記録したフォーカス位置テーブルに替えて、ＡＦ評価値を検出するサーチ範囲を記録したサーチ範囲テーブルを記録させるようにしてもよい。サーチ範囲テーブルには、人物撮影モード毎にサーチ範囲を示す情報が記録されている。
また、フォーカス位置テーブルやサーチ範囲テーブルなどを設けずに、図２（ｅ）に示すような距離情報テーブルに基づいてコントラスト検出方式によるＡＦ処理を行うようにしてもよい。
この場合には、人物撮影モードに対応する被写体距離情報に基づいてフォーカスレンズを移動させた後、そのフォーカス位置と、その前後のフォーカス位置との計３点のフォーカス位置におけるＡＦ評価値を検出し、その中でＡＦ評価値がピークとなるフォーカス位置にフォーカスレンズを移動させることとなる。
また、ここではサンプリングポイントとなるフォーカス位置情報を３点としているが、２点、４点等の複数であればよい。つまり、ＡＦ評価値を検出するフォーカスレンズのレンズ位置の数を通常のＡＦ処理時よりも少なくした簡易的なＡＦ処理であればよい。
【０１１４】
図８（ｂ）のフローチャートに戻り、該修正したサンプリングポイントとなるフォーカス位置情報に基づいたコントラスト検出方式によるＡＦ処理を開始させると、ＣＰＵ１０は、ＡＦ処理が完了したか否かの判断を行なう（ステップＳ１０５）。
ステップＳ１０５で、ＡＦ処理が完了していないと判断すると、完了したと判断するまでステップＳ１０５に留まり、ＡＦ処理が完了したと判断すると、図５のステップＳ１８、又は、図６のステップＳ７４へそれぞれ進む。
これにより、高精度、且つ、迅速に被写体に対してオートフォーカスを行なうことができる。
【０１１５】
［変形例２］
また、上記第２の実施の形態は、以下のような変形例も可能である。
第２の実施の形態においては、シャッタボタンが半押しされると、ＡＦ処理を開始し（図６のステップＳ６１）、ＡＦ処理が完了する前にシャッタボタンが全押しされた場合には（ステップＳ６３でＹに分岐）、シャッタボタンが一気に全押しされたと、つまり、ユーザが迅速な撮影を要求していると判断するようにしたが、シャッタボタンが一気に全押しされたか否かの判断を次の動作により判断してもよい。
【０１１６】
まず、１つ目のシャッタボタンが一気に全押しされたか否かの判断を図９（ａ）に示すフローチャートにしたがって説明する。
図６のステップＳ５７でシャッタボタンが半押しされたと判断すると、図９（ａ）のステップＳ１３１に進み、ＣＰＵ１０は、タイマーをスタートさせる。
次いで、ＣＰＵ１０は、タイムアップしたか否かの判断を行う（ステップＳ１３２）。このタイムアップしたか否かの判断は、タイマーが所定時間（ここでは０．０５秒）経過したか否かにより判断する。
【０１１７】
ステップＳ１３２で、タイムアップしていないと判断すると、つまり、タイマーが所定時間経過していないと判断すると、ＣＰＵ１０は、ユーザによってシャッタボタンが全押しされたか否かの判断を行う（ステップＳ１３３）。
ステップＳ１３３で、シャッタボタンが全押しされていないと判断するとステップＳ１３２に戻る。
【０１１８】
所定時間（０．０５秒）が経過する前にシャッタボタンが全押しされたと判断すると（ステップＳ１３３でＹに分岐）、シャッタボタンが一気に全押しされたと判断し図７のステップＳ６４に進む。
一方、シャッタボタンが全押しされずに、所定時間が経過したと判断すると（ステップＳ１３２でＹに分岐）、シャッタボタンが一気に全押しされずに半押しされたと判断し、ＣＰＵ１０は、ＡＦ処理（ここでは、コントラスト検出方式によるＡＦ処理を採択）を開始し（ステップＳ１３４）、ＡＦ処理が完了したと判断すると（ステップＳ１３５でＹに分岐）、図６のステップＳ７３に進む。
【０１１９】
次に、２つ目のシャッタボタンが一気に全押しされたか否かの判断を図９（ｂ）に示すフローチャートにしたがって説明する。なお、図９（ｂ）のフローチャートは、シャッタボタンの半押し状態が一定時間以上維持されないとＣＰＵ１０によってシャッタボタン半押しに対応する操作信号が検出されないものとした場合における、一気に全押しされたか否かを判断する動作である。
【０１２０】
図６のステップＳ５６で、設定した人物撮影モードに対応する被写体表示枠の表示を行うと、又は、ステップＳ５４で、人物撮影モードの選択が行なわれていないと判断すると、図９（ｂ）のステップＳ１５１に進み、ユーザによってシャッタボタンが半押しされたか否かの判断を行う。
ステップＳ１５１で、シャッタボタンが半押しされていないと判断すると、シャッタボタンが全押しされたか否かの判断を行う（ステップＳ１５２）。
ステップＳ１５２で、シャッタボタンが全押しされていないと判断すると、図６のステップＳ５８に戻る。
【０１２１】
シャッタボタンが半押しされたと判断されずに、シャッタボタンが全押しされたと判断すると（ステップＳ１５２でＹに分岐）、シャッタボタンが一気に全押しされたと判断し、図７のステップＳ６４に進む。
一方、ステップＳ１５１で、シャッタボタンが半押しされたと判断すると、シャッタボタンが一気に全押しされずに半押しされたと判断し、ＣＰＵ１０は、ＡＦ処理（ここでは、コントラスト検出方式によるＡＦ処理を採択）を開始し（ステップＳ１５３）、ＡＦ処理が完了したと判断すると（ステップＳ１５４でＹに分岐）、図６のステップＳ７３に進む。
【０１２２】
なお、変形例２においても、変形例１に示したような動作を行うようにしてもよい。
また、シャッタボタンが一気に全押しされずに、半押しされたと判断すると（ステップＳ１３２でＹに分岐又はステップＳ１５１でＹに分岐）、人物撮影モードが現在設定されているか否かの判断を行い、人物撮影モードが現在設定されていないと判断すると、ステップＳ１３４又はステップＳ１５３でＡＦ処理を開始してステップＳ１３５又はステップＳ１５４に進み、人物撮影モードが現在設定されていると判断すると、ステップＳ１３４、ステップＳ１５４のＡＦ処理に替えて、図８のステップＳ１０１〜ステップＳ１０４の動作を経てステップＳ１３５又はステップＳ１５４に進むようにしてもよい。これにより、ユーザが迅速な撮影を要求していない場合であっても、人物撮影モードが設定されている場合には、高精度、且つ、迅速に被写体にピントを合わすことができる。
また、シャッタボタンは、半押し操作、全押し操作可能な２段階のストロークを有するボタンであるが、１段階しか操作できないボタンであってもよい（２段階ストロークを有さないボタン、つまり、押すことしかできないボタン）。この場合には、シャッタボタンの上部に指が触れたか否かを検出するタッチセンサを設けておき、タッチセンサに指が触れたことを検出することにより、シャッタボタンが半押しされたと判断し、シャッタボタンが押下されることにより、シャッタボタンが全押しされたと判断する。
【０１２３】
［変形例３］
また、上記各実施の形態は、以下のような変形例も可能である。
（１）本実施の形態においては、ズーム機能を有しているデジタルカメラ１について説明したが、ズーム機能を有しないデジタルカメラ１であってもよい。この場合には、取得した人物撮影モードに対応する距離情報が、そのまま被写体距離情報となる。
また、ズーム機能を有している場合であっても、それぞれの人物撮影モードに対応するズーム倍率が予め決まっており、人物撮影モードが選択されると、その人物撮影モードに対応するズーム倍率となるようにズームレンズを駆動させるようにしてもよい。この場合には、人物撮影モードに対応する距離情報は、予め決められたズーム倍率も勘案した距離情報となっており、取得した人物撮影モードに対応する距離情報が、そのまま被写体距離情報となる。
これにより、被写体距離情報を更に迅速に得ることができ、ＣＰＵ１０の負担も軽減することができる。
【０１２４】
（２）また、複数の人物撮影モードを有するデジタルカメラ１について説明したが、１つの人物撮影モードしか有しないデジタルカメラであってもよい。
（３）また、メモリ９に距離情報テーブルを予め記憶させておくようにしたが、画像表示部１０の画面全体における被写体表示枠の大きさから距離情報を算出するようにしてもよい。そして、この算出した距離情報をズーム倍率にしたがって修正するようにする。
【０１２５】
（４）また、メモリ９に距離情報テーブルを予め記憶させておくようにしたが、距離情報テーブルの替わりに、それぞれの人物撮影モードに対応するフォーカス位置情報を記憶した位置情報テーブルであってもよい。そして、フォーカス位置情報からズーム倍率にしたがって、フォーカスレンズの位置情報を修正するようにする。
（５）また、光学ズームを有したデジタルカメラ１について説明したが、光学ズームに替えて、電子ズームを備えたデジタルカメラ１であってもよい。
また、光学ズームと電子ズームとの両方を備えたデジタルカメラ１であってもよい。
【０１２６】
（６）また、画像表示部１０に表示された被写体表示枠自体をズームさせるようにしてもよい。この場合に、人物撮影モードに対応する距離情報と、現在の被写体に対して行われたズーム倍率と、更に、被写体表示枠のズーム倍率とから被写体距離情報を算出するようにする。
（７）また、被写体表示枠は、人の形をした枠であるが、これに限られるものではなく、猫の形をした被写体表示枠、車の形をした被写体表示枠など人の形をした被写体表示枠でなくてもよい。これにより、人に限らず、猫やその他のものでも迅速にフォーカスを行うことができ、撮影状況が暗い場合でも、これらのものに対して誤測距を行うことがない。
【０１２７】
（８）また、取得した被写体距離情報をフォーカス処理に利用せずに単に表示又は記録するのみでもよい。
（９）更に、上記した（１）乃至（８）を組み合わせるようにしてもよい。
（１０）上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、要は被写体を撮影することができる機器であれば何でもよい。
【図面の簡単な説明】
【０１２８】
【図１】本発明の実施の形態のデジタルカメラのブロック図である。
【図２】本発明の人物撮影モード及び被写体表示枠を説明する図である。
【図３】第１の実施の形態のデジタルカメラの動作を示すフローチャートである。
【図４】第１の実施の形態のデジタルカメラの動作を示すフローチャートである。
【図５】第１の実施の形態のデジタルカメラの動作を示すフローチャートである。
【図６】第２の実施の形態のデジタルカメラの動作を示すフローチャートである。
【図７】第２の実施の形態のデジタルカメラの動作を示すフローチャートである。
【図８】変形例１を説明するめの図である。
【図９】変形例２を説明するための図である。
【符号の説明】
【０１２９】
１      デジタルカメラ
２      撮影レンズ
３      レンズ駆動ブロック
４      絞り兼用シャッタ
５      ＣＣＤ
６      ＴＧ
７      ユニット回路
８      ＤＲＡＭ
９      メモリ
１０    ＣＰＵ
１１    フラッシュメモリ
１２    画像表示部
１３    キー入力部
１４    音声処理部
１５    ストロボ駆動部
１６    ストロボ発光部
１７    カードＩ／Ｆ
１８    メモリ・カード
【図１】
2006189787.tif 000003
【図２】
2006189787.tif 000004
【図３】
2006189787.tif 000005
【図４】
2006189787.tif 000006
【図５】
2006189787.tif 000007
【図６】
2006189787.tif 000008
【図７】
2006189787.tif 000009
【図８】
2006189787.tif 000010
【図９】
2006189787.tif 000011